【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
移動端末（１０）によって実施される送信電力制御の方法であって、
第１の周波数領域で送信される１つまたは複数の第１の通信チャネルと、第２の周波数領域で送信される１つまたは複数の第２の通信チャネルとに対してそれぞれ別々の送信電力制御コマンドを受信する工程と、
前記第１の通信チャネルのうちの１つまたは複数のチャネルの命令された電力と、前記第２の通信チャネルのうちの１つまたは複数のチャネルの命令された電力との間の差を示す電力オフセットを計算する工程と、
受信した前記それぞれの送信電力制御コマンドに従って、前記計算された電力オフセットが第１の閾値（Ｔｈ１）を下回り、かつ第２の閾値（Ｔｈ２）を超える場合は独立して、または前記計算された電力オフセットが前記第２の閾値（Ｔｈ２）を下回る、もしくは前記第２の閾値（Ｔｈ２）よりも大きい前記第１の閾値（Ｔｈ１）を超える場合は共同して、前記第１および第２の通信チャネルの送信電力制御を選択的に実行する工程とを特徴とする方法。
【請求項２】
前記１つまたは複数の第１の通信チャネルが第１の搬送波で送信され、前記１つまたは複数の第２の通信チャネルが前記第１の搬送波とは異なる第２の搬送波で送信され、前記電力オフセットを計算する工程が、前記第１の搬送波で送信される前記第１の通信チャネルの全てのチャネルの命令された電力と、前記第２の搬送波で送信される前記第２の通信チャネルのうちの所与の１つのチャネルの命令された電力との間の差を示す前記電力オフセットを計算する工程を含み
前記第１および第２の通信チャネルの送信電力制御を共同して実行する工程が、
前記第１の通信チャネルにおいて受信された前記送信電力制御コマンドに従って、前記第１の通信チャネルのうちの所与の１つのチャネルの送信電力を制御する工程と、
前記第２の通信チャネルにおいて受信された前記送信電力制御コマンドに従って、前記第２の通信チャネルのうちの前記所与の１つのチャネルの前記送信電力を制御する工程と、
前記計算された電力オフセットが所定の範囲に入るよう必要に応じて、前記第１の搬送波で送信される残りの第１の通信チャネルのうちの全てのチャネルに対して送信電力の割当てを調整する工程とを含む、請求項１に記載の方法。
【請求項３】
前記第１および第２の通信チャネルの送信電力制御を共同して実行する工程が、同じ送信電力制御コマンドに従って、前記第１および第２の通信チャネルの送信電力を制御する工程を含む、請求項１又は２に記載の方法。
【請求項４】
第１の周波数領域での１つまたは複数の第１の通信チャネル、および、第２の周波数領域での１つまたは複数の第２の通信チャネルを送信するように構成された１つまたは複数の送信機（１２）と、
前記第１および第２の通信チャネルにおいて別々の送信電力制御コマンドを受信するように構成された受信機（１４）とを備え、
前記第１の通信チャネルのうちの１つまたは複数のチャネルの命令された電力と、前記第２の通信チャネルのうちの１つまたは複数のチャネルの命令された電力との間の差を示す電力オフセットを計算し、
受信した前記それぞれの送信電力制御コマンドに従って、前記計算された電力オフセットが閾値（Ｔｈ１）を下回り、かつ第２の閾値（Ｔｈ２）を超える場合は独立して、または、前記計算された電力オフセットが前記第２の閾値（Ｔｈ２）より下回る、もしくは前記第２の閾値（Ｔｈ２）よりも大きい前記第１の閾値（Ｔｈ１）を超える場合は共同して、前記第１および第２の通信チャネルの送信電力制御を選択的に実行するように構成された１つまたは複数の送信電力制御回路（１６）とを備えることを特徴とする、移動端末（１０）。
【請求項５】
前記１つまたは複数の送信機（１２）が、前記１つまたは複数の第１の通信チャネルを第１の搬送波で送信し、前記１つまたは複数の第２の通信チャネルを第２の搬送波で送信するように構成され、前記１つまたは複数の電力制御回路（１６）が、前記第１の搬送波で送信される前記第１の通信チャネルの全てのチャネルの命令された電力と、前記第２の搬送波で送信される前記第２の通信チャネルのうちの所与の１つのチャネルの命令された電力との間の差を示す前記電力オフセットを計算するように構成され、
前記１つまたは複数の送信電力制御回路（１６）が、
前記第１の通信チャネルにおいて受信された前記送信電力制御コマンドに従って、前記第１の通信チャネルのうちの所与の１つのチャネルの送信電力を制御する工程と、
前記第２の通信チャネルにおいて受信された前記送信電力制御コマンドに従って、前記第２の通信チャネルのうちの前記所与の１つのチャネルの送信電力を制御する工程と、
前記計算された電力オフセットが所定の範囲に入るよう必要に応じて、前記第１の搬送波で送信される残りの第１の通信チャネルの全てのチャネルに対して送信電力の割当てを調整する工程と
により、前記第１および第２の通信チャネルの送信電力制御を共同して実行するように構成される、請求項４に記載の移動端末（１０）。
【請求項６】
前記１つまたは複数の送信電力制御回路（１６）が、同じ送信電力コマンドに従って、前記第１および第２の通信チャネルの送信電力を制御することにより、前記第１および第２の通信チャネルの送信電力制御を共同して選択的に実行するように構成される、請求項４または５に記載の移動端末（１０）。
【請求項７】
移動端末（１０）によって実施される送信電力制御の方法であって、
第１の周波数領域で送信される１つまたは複数の第１の通信チャネルと、第２の周波数領域で送信される１つまたは複数の第２の通信チャネルとに対してそれぞれ別々の送信電力制御コマンドを受信する工程と、
前記第１の通信チャネルのうちの１つまたは複数のチャネルの命令された電力と、前記第２の通信チャネルのうちの１つまたは複数のチャネルの命令された電力との間の差を示す電力オフセットを計算する工程と、
受信した前記それぞれの送信電力制御コマンドに従って独立して、または共同して、前記計算された電力オフセットが所定の閾値を下回り、かつ前記第１および第２の通信チャネルの全てにわたって命令された全電力が所定の全電力閾値を超える場合は、送信電力制御を共同して実行し、その他の場合は送信電力制御を独立して実行することによって、前記第１および第２の通信チャネルの送信電力制御を選択的に実行する工程とを特徴とする方法。
【請求項８】
前記１つまたは複数の第１通信チャネルが物理アップリンク制御チャネルＰＵＣＣＨを備え、前記１つまたは複数の第２通信チャネルが物理アップリンク共有チャネルＰＵＳＣＨを備える、請求項７に記載の方法。
【請求項９】
前記第１および第２の通信チャネルの送信電力制御を共同して実行する工程が、同じ送信電力制御コマンドに従って、前記第１および第２の通信チャネルの送信電力を制御する工程を含む、請求項７または８に記載の方法。
【請求項１０】
前記所定の閾値が、前記第１および第２の周波数領域に依存する、請求項７〜９のいずれか一項に記載の方法。
【請求項１１】
前記第１および第２の通信チャネルの送信電力制御を共同して実行する工程が、前記第１および第２の通信チャネルのうちの弱い方のチャネルの送信電力をゼロに設定する工程を含む、請求項７〜１０のいずれか一項に記載の方法。
【請求項１２】
第１の周波数領域での１つまたは複数の第１の通信チャネル、および、第２の周波数領域での１つまたは複数の第２の通信チャネルを送信するように構成された１つまたは複数の送信機（１２）と、
前記第１および第２の通信チャネルにおいて別々の送信電力制御コマンドを受信するように構成された受信機（１４）とを備え、
前記第１の通信チャネルのうちの１つまたは複数のチャネルの命令された電力と、前記第２の通信チャネルのうちの１つまたは複数のチャネルの命令された電力との間の差を示す電力オフセットを計算し、
受信した前記それぞれの送信電力制御コマンドに従って独立して、または共同して、前記計算された電力オフセットが所定の閾値を下回り、かつ前記第１および第２の通信チャネルの全てにわたって命令された全電力が所定の全電力閾値を超える場合は、送信電力制御を共同して実行し、その他の場合は送信電力制御を独立して実行することによって、前記第１および第２の通信チャネルの送信電力制御を選択的に実行するように構成された１つまたは複数の送信電力制御回路（１６）を特徴とする、移動端末（１０）。
【請求項１３】
前記１つまたは複数の第１通信チャネルが物理アップリンク制御チャネルＰＵＣＣＨを備え、前記１つまたは複数の第２通信チャネルが物理アップリンク共有チャネルＰＵＳＣＨを備える、請求項１２に記載の移動端末（１０）。
【請求項１４】
前記１つまたは複数の送信電力制御回路（１６）が、同じ送信電力コマンドに従って、前記第１および第２の通信チャネルの送信電力を制御することにより、前記第１および第２の通信チャネルの送信電力制御を共同して実行するように構成される、請求項１２または１３に記載の移動端末（１０）。
【請求項１５】
前記１つまたは複数の送信電力制御回路（１６）が、前記第１および第２の通信チャネルの送信電力制御を、前記第１および第２の通信チャネルのうちの弱い方のチャネルの送信電力をゼロに設定することより共同して実行するように構成される、請求項１２〜１４のいずれか一項に記載の移動端末（１０）。